(57)【要約】      （修正有）【課題】記録紙の紙幅に拘わらず、複数の従動ローラーによって記録紙を搬送ローラーに押し付けながら搬送できる印刷装置を提供する。【解決手段】プリンターは搬送路に沿って記録紙３を搬送する搬送機構を備える。搬送機構は、搬送ローラー２２、左側従動ローラー２３（１）および右側従動ローラー２３（２）を備える。また、プリンターは、プリンター幅方向に移動可能であり、搬送路を搬送される記録紙３の端縁に当接するガイド位置１３Ａに配置される右側紙ガイド１３を備える。右側従動ローラー２３（２）は、右側紙ガイド１３に搭載されて右側紙ガイド１３と一体に移動する。従って、右側紙ガイド１３をガイド位置１３Ａに配置すれば、記録紙３を、左側従動ローラー２３（１）と右側従動ローラー２３（２）によって搬送ローラー２２に押し付けながら搬送できる。【選択図】図４
2016120652.tif 000002
【特許請求の範囲】
【請求項１】
印刷ヘッドによる印刷位置を経由する搬送路に沿って記録紙を搬送する搬送ローラーと、
前記搬送ローラーに従動する従動ローラーと、
前記搬送ローラーの回転中心軸線方向に移動可能であり、前記搬送路を搬送される前記記録紙の端縁に当接するガイド位置に配置される紙ガイドと、
前記従動ローラーは、前記紙ガイドの前記ガイド位置に基づいて前記回転中心軸線方向に移動可能であることを特徴とする印刷装置。
【請求項２】
請求項１において、
前記従動ローラーは、前記回転中心軸線方向に複数配列され、
複数の前記従動ローラーのうち少なくとも前記紙ガイドに最も近い第１従動ローラーの位置は、前記紙ガイドの前記ガイド位置に基づいて移動可能であること特徴とする印刷装置。
【請求項３】
請求項２において、
複数の前記従動ローラーは、前記紙ガイドが前記ガイド位置に配置された状態で、前記搬送路を搬送される前記記録紙の中心を通過して搬送方向に延びる仮想線に対して対称に配置されることを特徴とする印刷装置。
【請求項４】
請求項３において、
前記第１従動ローラーは、前記紙ガイドが前記ガイド位置に配置された状態で、前記搬送路を搬送される前記記録紙の前記回転中心軸線方向の端部分に当接することを特徴とする印刷装置。
【請求項５】
請求項２において、
前記第１従動ローラーは、前記紙ガイドに支持されて当該紙ガイドと一体に移動することを特徴とする印刷装置。
【請求項６】
請求項２ないし５のうちのいずれかの項において、
前記第１従動ローラーを、前記搬送ローラーに押圧する押圧位置と、前記搬送ローラーから離間する離間位置との間で移動させる従動ローラー移動機構と、
前記紙ガイドを、前記ガイド位置に着脱可能に固定する固定機構と、
を有し、
前記従動ローラー移動機構は、前記固定機構が前記紙ガイドを前記ガイド位置に固定した状態を形成するのに伴って前記従動ローラーを前記離間位置から前記押圧位置に移動させ、前記固定機構が前記紙ガイドを前記ガイド位置に固定した状態を解除するのに伴って前記従動ローラーを前記押圧位置から前記離間位置に移動させることを特徴とする印刷装置。
【請求項７】
請求項１において、
前記回転中心軸線方向に移動可能であり、前記搬送路を搬送される前記記録紙の端縁に前記紙ガイドとは反対側から当接する第２ガイド位置に配置される第２紙ガイドと、
前記従動ローラーとして、前記第２紙ガイドの前記第２ガイド位置に基づいて前記回転中心軸線方向に移動可能な第２従動ローラーを有することを特徴とする印刷装置。
【発明の詳細な説明】
【技術分野】
【０００１】
本発明は、搬送ローラーと搬送ローラーに押し付けられた複数の従動ローラーを備える搬送機構によって記録紙を搬送して紙幅の異なる複数種類の記録紙に印刷を行う印刷装置に関する。
【背景技術】
【０００２】
連続用紙などの記録紙に印刷を施す印刷装置は特許文献１に記載されている。同文献の印刷装置は、印刷ヘッドによる印刷位置を経由する搬送路と、搬送路に沿って記録紙を搬送する搬送機構を備える。搬送機構は、搬送ローラーと、搬送ローラーの回転中心軸線方向に配列されて搬送ローラーに押し付けられた複数の従動ローラーを備える。印刷ヘッドは、搬送ローラーよりも記録紙の搬送方向の下流側に配置されている。
【先行技術文献】
【特許文献】
【０００３】
【特許文献１】特開２０１２−５６２２４号公報
【発明の概要】
【発明が解決しようとする課題】
【０００４】
このような搬送機構では、複数の従動ローラーによって記録紙が搬送ローラーに押し付けられた状態で搬送されているときには、記録紙は精度よく搬送され、記録紙にスキューが発生することもない。
【０００５】
しかし、記録紙として紙幅の狭いものが使用された場合には、記録紙は一部の従動ローラーによって搬送ローラーに押し付けられた状態で搬送される。この場合、従動ローラーの数が減る分だけ押さえ荷重が小さくなるので、記録紙は搬送ローラーに対して滑りやすくなる。従って、記録紙の搬送精度が低下したり、記録紙にスキューが発生したりすることがある。記録紙の搬送精度の低下やスキューの発生は印刷品質の低下を招いてしまう。
【０００６】
本発明の課題は、このような点に鑑みて、記録紙の紙幅に拘わらず、従動ローラーによって記録紙を搬送ローラーに押し付けながら搬送できる印刷装置を提供することにある。
【課題を解決するための手段】
【０００７】
上記の課題を解決するために、本発明は、印刷ヘッドによる印刷位置を経由する搬送路に沿って記録紙を搬送する搬送ローラーと、前記搬送ローラーに従動する従動ローラーと、前記搬送ローラーの回転中心軸線方向に移動可能であり、前記搬送路を搬送される前記記録紙の端縁に当接するガイド位置に配置される紙ガイドと、前記従動ローラーは、前記紙ガイドの前記ガイド位置に基づいて前記回転中心軸線方向に移動可能であることを特徴とする。
【０００８】
本発明によれば、従動ローラーが紙ガイドの位置に基づいて搬送ローラーの回転中心軸線方向に移動する。従って、紙ガイドを記録紙の端縁に当接するガイド位置に配置するのに伴って従動ローラーを搬送ローラーとともに記録紙をニップ可能な位置に移動させることができる。これにより、記録紙の紙幅が変化した場合でも、従動ローラーと搬送ローラーによって記録紙をニップできるので、記録紙にスキューが発生することを防止或いは抑制でき、記録紙の搬送精度を維持できる。
【０００９】
本発明において、前記従動ローラーは、前記回転中心軸線方向に複数配列され、複数の前記従動ローラーのうち少なくとも前記紙ガイドに最も近い第１従動ローラーの位置は、前記紙ガイドの前記ガイド位置に基づいて移動可能であることが望ましい。このようにすれば、紙ガイドを記録紙の端縁に当接するガイド位置に配置するのに伴って第１従動ローラーを搬送ローラーとともに記録紙をニップ可能な位置に移動させることができる。これにより、記録紙の紙幅が変化した場合でも、全ての従動ローラーと搬送ローラーによって記録紙をニップできるので、記録紙にスキューが発生することを防止或いは抑制でき、記録紙の搬送精度を維持できる。
【００１０】
本発明において、複数の前記従動ローラーは、前記紙ガイドが前記ガイド位置に配置された状態で、前記搬送路を搬送される前記記録紙の中心を通過して搬送方向に延びる仮想線に対して対称に配置されることが望ましい。このようにすれば、搬送ローラーの回転中心軸線方向で複数の従動ローラーが記録紙を搬送ローラーにバランスよく押し付ける。従って、記録紙にスキューが発生することを防止或いは抑制できる。
【００１１】
本発明において、前記第１従動ローラーは、前記紙ガイドが前記ガイド位置に配置された状態で、前記搬送路を搬送される前記記録紙の前記回転中心軸線方向の端部分に当接することが望ましい。このようにすれば、記録紙にスキューが発生することを防止或いは抑制しやすい。
【００１２】
本発明において、前記第１従動ローラーは、前記紙ガイドに支持されて当該紙ガイドと一体に移動するものとすることができる。このようにすれば、第１従動ローラーを紙ガイドとともに移動させることが容易となる。
【００１３】
本発明において、前記第１従動ローラーを、前記搬送ローラーに押圧する押圧位置と、前記搬送ローラーから離間する離間位置との間で移動させる従動ローラー移動機構と、前記紙ガイドを、前記ガイド位置に着脱可能に固定する固定機構と、を有し、前記従動ローラー移動機構は、前記固定機構が前記紙ガイドを前記ガイド位置に固定した状態を形成するのに伴って前記従動ローラーを前記離間位置から前記押圧位置に移動させ、前記固定機構が前記紙ガイドを前記ガイド位置に固定した状態を解除するのに伴って前記従動ローラーを前記押圧位置から前記離間位置に移動させることが望ましい。このようにすれば、紙ガイドと従動ローラーとを回転中心軸線方向に移動させる際に、これらの移動が従動ローラーと搬送ローラーとの摩擦によって阻害されることがない。
【００１４】
本発明において、前記回転中心軸線方向に移動可能であり、前記搬送路を搬送される前記記録紙の端縁に前記紙ガイドとは反対側から当接する第２ガイド位置に配置される第２紙ガイドと、前記従動ローラーとして、前記第２紙ガイドの前記第２ガイド位置に基づいて前記回転中心軸線方向に移動可能な第２従動ローラーと、を有することが望ましい。このようにすれば、印刷装置が、搬送ローラーの回転中心軸線方向で対向する位置に配置された一対の紙ガイドを備える場合に、各紙ガイドのガイド位置に基づいて、複数の従動ローラーの位置を変化させることができる。
【図面の簡単な説明】
【００１５】
【図１】本発明のプリンターの概略縦断面図および概略平面図である。
【図２】左側従動ローラーを押圧する左側押圧機構の説明図である。
【図３】右側従動ローラーを押圧する右側押圧機構および固定機構の説明図である。
【図４】紙ガイドをガイド位置に配置する紙ガイド配置動作の説明図である。
【図５】一対の紙ガイドが移動する場合の紙ガイド配置動作の説明図である。
【発明を実施するための形態】
【００１６】
以下に、図面を参照して、本発明を適用したプリンター（印刷装置）を説明する。
【００１７】
（全体構成）
図１（ａ）は本発明のプリンターの全体構成を示す概略縦断面図であり、図１（ｂ）は図１（ａ）のプリンターの要部を示す概略平面図である。図１（ｂ）では印刷ヘッドは省略してある。図２は左側従動ローラーを搬送ローラーに押し付ける左側押圧機構の説明図である。図３は右側従動ローラーを搬送ローラーに押し付ける右側押圧機構の説明図である。本例のプリンター１はロール紙２から繰り出される長尺状の記録紙３に印刷を行うものである。
【００１８】
図１（ａ）に示すように、プリンター１は、筐体５の前面に記録紙３を排出する排紙口６を備える。筐体５内には、その後側部分に、ロール紙２が装填されるロール紙収納部７が設けられている。ロール紙２はロール紙収納部７においてロール紙支持軸８に支持されて転動可能な状態とされる。また、筐体５内には、ロール紙収納部７から印刷ヘッド９による印刷位置Ａを経由して排紙口６に延びる搬送路１０が設けられている。
【００１９】
また、プリンター１は、筐体５内に、ロール紙２から引き出された記録紙３を搬送路１０に沿ってプリンター前方Ｘ１に向かう搬送方向Ｄに搬送する搬送機構１１と、記録紙３を搬送方向Ｄに案内する左側紙ガイド１２および右側紙ガイド（紙ガイド）１３を備える。搬送機構１１は印刷位置Ａよりも搬送方向Ｄの上流側（プリンター後方Ｘ２）に配置された搬送ローラー対２１を備える。左側紙ガイド１２および右側紙ガイド１３は搬送ローラー対２１よりも搬送方向Ｄの上流側に配置されている。以下の説明では、搬送路１０が延設された方向をプリンター前後方向Ｘとし、排紙口６が設けられている側をプリンター前方Ｘ１、ロール紙収納部７が設けられている側をプリンター後方Ｘ２とする。また、搬送路１０の幅方向をプリンター幅方向Ｙとし、プリンター１を前面から見た場合に左側をプリンター幅方向Ｙの第１方向Ｙ１、右側を第２方向Ｙ２とする。
【００２０】
印刷ヘッド９はインクジェットヘッドである。印刷ヘッド９による印刷位置Ａは印刷ヘッド９と所定のギャップを開けて対峙するプラテン１４により規定されている。
【００２１】
左側紙ガイド１２および右側紙ガイド１３は搬送路１０を間に挟んでプリンター幅方向Ｙで対向している。各紙ガイド１２、１３においてプリンター幅方向Ｙで互いに対向する内側面はプリンター幅方向Ｙにおける記録紙３の端縁に当接可能なガイド面１２ａ、１３ａである。
【００２２】
一対の紙ガイド１２、１３のうち第１方向Ｙ１の左側紙ガイド１２は基準の紙ガイドとされており、搬送路１０における第１方向Ｙ１の端に固定されている。左側紙ガイド１２のガイド面１２ａは、搬送路１０における第１方向Ｙ１の端において記録紙３の第１方向Ｙ１の端縁に当接して記録紙３を搬送方向Ｄに案内する。
【００２３】
右側紙ガイド１３は、プリンター幅方向Ｙに移動可能である。すなわち、プリンター１は、プリンター幅方向Ｙに平行に延びる２本のガイド軸１５ａ、１５ｂを備えており、右側紙ガイド１３はこれら２本のガイド軸１５ａ、１５ｂに沿って移動可能に支持されている。搬送方向Ｄの下流側のガイド軸１５ａは搬送路１０よりも上に配置されている。搬送方向Ｄの上流側のガイド軸１５ｂは搬送路１０よりも下に配置されている。また、右側紙ガイド１３には、右側紙ガイド１３をプリンター幅方向Ｙの所望の位置に着脱可能に固定する固定機構１６が搭載されている。
【００２４】
ここで、右側紙ガイド１３は、記録紙３を搬送路１０にセットする際にユーザーによってプリンター幅方向Ｙに移動させられて、搬送路１０に引き出された記録紙３の第２方向Ｙ２の端縁に当接するガイド位置１３Ａに配置される。また、右側紙ガイド１３は、ガイド位置１３Ａにおいて固定機構１６の操作レバー１７が操作されることによってガイド位置１３Ａに固定される。固定機構１６の詳細は後述する。
【００２５】
搬送ローラー対２１は、搬送ローラー２２と、搬送ローラー２２とともに記録紙３をニップする左側従動ローラー（第２従動ローラー）２３（１）および右側従動ローラー（第１従動ローラー）２３（２）を備える。左側従動ローラー２３（１）および右側従動ローラー２３（２）は、搬送ローラー２２の回転中心軸線方向に配列されている。搬送ローラー２２の回転中心軸線方向はプリンター幅方向Ｙである。左側従動ローラー２３（１）は、右側従動ローラー２３（２）より第１方向Ｙ１の側に位置する。
【００２６】
図２に示すように、搬送ローラー２２は、ローラー外周面２２ａを備えるローラー本体部２４とローラー軸（回転中心軸）２５を備える。ローラー本体部２４のローラー径は一定である。ローラー軸２５には搬送モーター２０の駆動力が伝達され、これにより搬送ローラー２２は回転駆動される。
【００２７】
図２、図３に示すように、左側従動ローラー２３（１）および右側従動ローラー２３（２）は、それぞれローラー外周面２３ａを備えるローラー本体部２６と、ローラー軸２７を備える。各従動ローラー２３（１）、２３（２）のローラー径は、搬送ローラー２２のローラー径よりも小さく、互いに同一である。また、各従動ローラー２３（１）、２３（２）のローラー幅（プリンター幅方向Ｙにおける幅）は同一である。さらに、左側従動ローラー２３（１）と左側紙ガイド１２のガイド面１２ａとの間の距離は、右側従動ローラー２３（２）と右側紙ガイド１３のガイド面１３ａとの間の距離と等しい。
【００２８】
左側従動ローラー２３（１）は搬送路１０の上方に設けられた左側押圧機構３１（１）によって搬送ローラー２２に押し付けられている。すなわち、左側押圧機構３１（１）は左側従動ローラー２３（１）を搬送ローラー２２に押し付ける押圧力を発揮する。図２に示すように、左側押圧機構３１（１）は、左側従動ローラー２３（１）を回転可能に支持する棒状の支持腕３２と、支持腕３２を回動可能に支持する支持軸３３と、コイルバネ３４を有する。支持腕３２はプリンター前方Ｘ１の端部分に左側従動ローラー２３（１）を支持している。支持軸３３は、搬送ローラー２２のローラー軸２５と平行（搬送ローラー２２の回転中心軸線と平行）に延びており、支持腕３２のプリンター後方Ｘ２の端部分を支持している。コイルバネ３４は、支持腕３２と、その上方に設けられた係止部３５との間に圧縮された状態で配置されており、支持腕３２における左側従動ローラー２３（１）と支持軸３３の間を下方に押圧する。
【００２９】
右側従動ローラー２３（２）は搬送路１０の上方に設けられた右側押圧機構３１（２）によって搬送ローラー２２に押し付けられている。すなわち、右側押圧機構３１（２）は右側従動ローラー２３（２）を搬送ローラー２２に押し付ける押圧力を発揮する。ここで、図１（ｂ）に示すように、右側従動ローラー２３（２）および第２押圧機構３１（２）は、右側紙ガイド１３におけるガイド面１３ａの上方に取り付けられた直方体形状の支持ケース１８に搭載されている。従って、右側従動ローラー２３（２）および第２押圧機構３１（２）は、右側紙ガイド１３がプリンター幅方向Ｙに移動するのに伴って、右側紙ガイド１３と一体にプリンター幅方向Ｙに移動する。
【００３０】
右側押圧機構３１（２）は、図３に示すように、右側従動ローラー２３（２）を回転可能に支持する棒状の支持腕３２と、支持腕３２を回動可能に支持する支持軸３３と、コイルバネ３４を有する。支持腕３２はプリンター前方Ｘ１の端部分に右側従動ローラー２３（２）を支持している。支持軸３３は、搬送ローラー２２のローラー軸２５と平行（搬送ローラー２２の回転中心軸線と平行）に延びており、支持腕３２におけるプリンター前後方向Ｘの中央よりも前側を回動可能に支持している。支持軸３３は支持ケース１８においてプリンター幅方向Ｙで対向する一対の側板に架け渡されている。コイルバネ３４は支持腕３２と、支持ケース１８内で支持腕３２の上方に設けられた係止部３５との間に圧縮された状態で配置されている。コイルバネ３４は支持腕３２における右側従動ローラー２３（２）と支持軸３３の間を下方に押圧する。
【００３１】
また、右側押圧機構３１（２）は、右側従動ローラー２３（２）を搬送ローラー２２に押圧する押圧位置２３Ａ（図３（ａ）参照）と、搬送ローラー２２から離間する離間位置２３Ｂ（図３（ｂ）参照）の間で移動させる従動ローラー移動機構３７を備える。従動ローラー移動機構３７は、カム４１と、このカム４１を回転させる操作レバー１７を備える。操作レバー１７は固定機構１６の操作レバー１７を兼ねている。
【００３２】
カム４１は、操作レバー１７を操作することにより回転する。操作レバー１７は、上方に向ってプリンター後方に傾斜したロック位置１７Ａと、上方に向ってプリンター前方Ｘ１に傾斜したレリース位置１７Ｂの間を移動する。
【００３３】
カム４１は、その外周にカム面４２を備える。カム面４２は、内側カム面部分４２ａと、内側カム面部分４２ａよりも外周側に突出する２つの突出カム面部分４２ｂ、４２ｃを備える。カム４１は、支持ケース１８内に位置しており、支持腕３２の後端部分に上方から当接可能である。また、カム４１は、ガイド軸１５ａに前方から可能である。
【００３４】
図３（ａ）に示すように、操作レバー１７をロック位置１７Ａに移動させると、カム４１が回転して内側カム面部分４２ａが支持腕３２の後端部分に僅かな隙間を開けて対向した状態となる。この状態では、支持腕３２はコイルバネ３４の付勢力によってプリンター前方Ｘ１に向って下方に傾斜し、右側従動ローラー２３（２）が搬送ローラー２２に当接する。すなわち、右側従動ローラー２３（２）は押圧位置２３Ａに配置され、コイルバネ３４の付勢力によって搬送ローラー２２に押し付けられる。
【００３５】
一方、図３（ｂ）に示すように、操作レバー１７をレリース位置１７Ｂに移動させると、カム４１が回転して搬送方向Ｄの下流側の突出カム面部分４２ｂが支持腕３２の後端部分に当接する。これにより、支持腕３２の後端部分が突出カム面部分４２ｂを摺動して下方に押し下げられる。従って、支持腕３２は、図３（ｂ）に矢印で示すように、支持軸３３を中心に時計回りに回転する。この結果、右側従動ローラー２３（２）はコイルバネ３４の付勢力に抗して上方に移動し、離間位置２３Ｂに配置される。
【００３６】
ここで、カム４１の搬送方向Ｄの上流側の突出カム面部分４２ｃは、ガイド軸１５ａと共に固定機構１６を構成するものである。図３（ａ）に示すように、操作レバー１７をロック位置１７Ａに移動させると、カム４１が回転して突出カム面部分４２ｃがガイド軸１５ａに当接する。カム４１がガイド軸１５ａに当接すると、右側紙ガイド１３はガイド軸１５ａに対して相対移動不能なロック状態となる。
【００３７】
一方、図３（ｂ）に示すように、操作レバー１７をレリース位置１７Ｂに移動させると、カム４１が回転して内側カム面部分４２ａがガイド軸１５ａと隙間を開けて対向する。これにより、カム４１とガイド軸１５ａの当接が解除されるので、右側紙ガイド１３はガイド軸１５ａに対して相対移動可能なレリース状態となる。
【００３８】
なお、操作レバー１７をロック位置１７Ａに移動させると、右側紙ガイド１３がロック状態となるのに伴って、右側従動ローラー２３（２）は押圧位置２３Ａに配置される。一方、操作レバー１７をレリース位置１７Ｂに移動させると、右側紙ガイド１３がレリース状態となるのに伴って、右側従動ローラー２３（２）は離間位置２３Ｂに配置される。従って、レリース状態の右側紙ガイド１３をプリンター幅方向Ｙに移動させる際に、右側従動ローラー２３（２）と搬送ローラー２２が接触して、右側紙ガイド１３の移動を妨げることがない。
【００３９】
（印刷処理動作）
図４は第１紙ガイド１３をガイド位置１３Ａに配置する紙ガイド配置動作の説明図である。図４（ａ）では幅の広い記録紙３を印刷に用いる場合を示し、図４（ｂ）は幅の狭い記録紙３を印刷に用いる場合を示す。
【００４０】
プリンター１を使用する際には、ユーザーは、ロール紙収納部７にロール紙２を装填する。次に、ユーザーは、ロール紙２から引き出した記録紙３を、左側紙ガイド１２のガイド面１２ａに沿わせて搬送路１０に配置する。その後、ユーザーは、操作レバー１７をレリース位置１７Ｂに配置する。これにより、右側紙ガイド１３はレリース状態となる。また、右側従動ローラー２３（２）は搬送ローラー２２から離間する離間位置２３Ｂに配置される。
【００４１】
次に、ユーザーは、右側紙ガイド１３をプリンター幅方向Ｙに移動させて、そのガイド面１３ａが記録紙３の第２方向Ｙ２の側の端縁に当接するガイド位置１３Ａに配置する。その後、ユーザーは、操作レバー１７をレリース位置１７Ｂからロック位置１７Ａに移動させる。これにより、右側紙ガイド１３はロック状態となる。また、右側従動ローラー２３（２）は搬送ローラー２２に押し付けられた押圧位置２３Ａに配置される。
【００４２】
ここで、右側紙ガイド１３をプリンター幅方向Ｙに移動させると、右側紙ガイド１３とともに右側従動ローラー２３（２）が移動する。従って、右側紙ガイド１３をガイド位置１３Ａに固定した状態では、図４（ａ）、図４（ｂ）に示すように、左側従動ローラー２３（１）は搬送路１０を搬送される記録紙３の第１方向Ｙ１の端縁部を搬送ローラー２２とともにニップし、右側従動ローラー２３（２）は搬送路１０を搬送される記録紙３の第２方向Ｘ２の端縁部を搬送ローラー２２とともにニップする。また、右側紙ガイド１３がガイド位置１３Ａに固定された状態では、左側従動ローラー２３（１）と右側従動ローラー２３（２）は、搬送路１０を搬送される記録紙３の中心を通過して搬送方向Ｄに延びる仮想線Ｌ１に対して対称に配置される。
【００４３】
その後、外部の機器から印刷データが供給されると、プリンター１は、搬送モーター２０を駆動して搬送機構１１により記録紙３を搬送路１０沿って搬送する。また、プリンター１は、印刷ヘッド９を駆動して、印刷位置Ａを搬送される記録紙３に印刷を施す。
【００４４】
本例によれば、右側従動ローラー２３（２）が右側紙ガイド１３と一体に移動する。従って、右側紙ガイド１３を記録紙３の端縁に当接するガイド位置１３Ａに移動させれば、右側従動ローラー２３（２）を、搬送ローラー２２とともに記録紙３をニップ可能な位置に配置できる。これにより記録紙３の紙幅（ロール紙２の紙幅）が変化した場合でも、全ての従動ローラー２３（１）、２３（２）と搬送ローラー２２によって記録紙３をニップできる。
【００４５】
また、右側紙ガイド１３をガイド位置１３Ａに移動させた状態では、左側従動ローラー２３（１）と右側従動ローラー２３（２）は、搬送路１０を搬送される記録紙３の中心を通過して搬送方向Ｄに延びる仮想線Ｌ１に対して対称に配置される。従って、記録紙３は、搬送機構１１によってプリンター幅方向Ｙでバランスよく搬送される。よって、記録紙３の紙幅に拘わらず、記録紙３の搬送精度を維持でき、記録紙３にスキューが発生することも防止できる。
【００４６】
（変形例）
なお、従動ローラーとして、の３つの従動ローラーを備えてもよい。この場合には、新たに設ける第３の従動ローラーを、左側従動ローラー２３（１）と右側従動ローラー２３（２）の間に配置する。このようにすれば、搬送ローラー２２とともに記録紙３をニップする従動ローラーの数を増やすことができるので、搬送機構１１に対して記録紙３が滑ることをより抑制できる。従って、記録紙３の搬送精度を維持でき、記録紙３にスキューが発生することを防止或いは抑制できる。
【００４７】
ここで、第３の従動ローラーを配置する場合には、右側従動ローラー２３（２）の移動に伴って第３の従動ローラーを移動させて、第３の従動ローラーがプリンター幅方向Ｙにおいて常に右側従動ローラー２３（２）と右側従動ローラー２３（２）の中央に位置するようにしてもよい。すなわち、プリンター１に、右側紙ガイド１３のプリンター幅方向Ｙの位置に基づいて、第３の従動ローラーをプリンター幅方向Ｙに移動させる従動ローラー移動機構を設けてもよい。このようにすれば、左側従動ローラー２３（１）、第３の従動ローラー、および右側従動ローラー２３（２）が、搬送路１０を搬送される記録紙３の中心を通過して搬送方向Ｄに延びる仮想線Ｌ１に対して対称に配置されるものとなるので、搬送機構１１によってプリンター幅方向Ｙでバランスよく搬送できる。
【００４８】
なお、この場合には、右側従動ローラー２３（２）を押圧する押圧機構３１（２）と同様に、第３の従動ローラーを押圧する押圧機構に、右側紙ガイド１３の固定機構１６の動作に連動して、第３の従動ローラーを押圧位置２３Ａと離間位置２３Ｂとの間で移動させる機構を設けることが望ましい。
【００４９】
また、上記の例では、右側紙ガイド１３を基準のガイドとして搬送路１０における第１方向Ｙ１の端を基準として記録紙３を搬送しているが、搬送路１０におけるプリンター幅方向Ｙの中央を基準として記録紙３を搬送してもよい。この場合には、左側紙ガイド１２と右側紙ガイド１３とは、互いに接近する方向および互いに離れる方向に同一距離だけ連動して移動するものとする。左側紙ガイド１２と右側紙ガイド１３を互いに同一距離だけ反対方向に移動させる移動機構としては、ラックとピニオンを利用した周知の機構を採用できる。
【００５０】
図５は、左側紙ガイド１２および右側紙ガイド１３を記録紙３の幅に適合させて移動させる紙ガイド配置動作の説明図である。図４（ａ）では幅の広い記録紙３を印刷に用いる場合を示し、図４（ｂ）は幅の狭い記録紙３を印刷に用いる場合を示す。
【００５１】
図５に示すように、搬送路１０におけるプリンター幅方向Ｙの中央を基準として記録紙３を搬送する場合には左側紙ガイド１２にも支持ケース１８を設け、支持ケース１８に左側従動ローラー２３（１）および左側押圧機構３１（１）を搭載する。これにより、左側従動ローラー２３（１）および左側押圧機構３１（１）を左側紙ガイド１２と一体に移動可能とする。また、左側紙ガイド１２に固定機構１６を搭載して、左側紙ガイド１２を記録紙３の端縁に当接するガイド位置１２Ａに固定可能とする。さらに、この場合には、左側従動ローラー２３（１）を押圧する左側押圧機構３１（１）に従動ローラー移動機構３７を備え、固定機構１６の動作に連動して、左側従動ローラー２３（１）を押圧位置２３Ａと離間位置２３Ｂとの間で移動させる。
【００５２】
なお、本例においても、左側従動ローラー２３（１）と右側従動ローラー２３（２）の間に第３の従動ローラーを配置することができる。
【符号の説明】
【００５３】
１・・プリンター（印刷装置）、２・・ロール紙、３・・記録紙、５・・筐体、６・・排紙口、７・・ロール紙収納部、８・・ロール紙支持軸、９・・印刷ヘッド、１０・・搬送路、１１・・搬送機構、１２・・左側紙ガイド（第２紙ガイド）、１２ａ・・ガイド面、１２Ａ・・ガイド位置、１３・・右側紙ガイド（第１紙ガイド）、１３ａ・・ガイド面、１３Ａ・・ガイド位置、１４・・プラテン、１５・・ガイド軸、１６・・固定機構、１７・・操作レバー、１７Ａ・・ロック位置、１７Ｂ・・レリース位置、１８・・支持ケース、２０・・搬送モーター、２１・・搬送ローラー対、２２・・搬送ローラー、２２ａ・・ローラー外周面、２３（１）・・左側従動ローラー、２３（２）・・右側従動ローラー、２３ａ・・ローラー外周面、２３Ａ・・押圧位置、２３Ｂ・・離間位置、２４・・搬送ローラーのローラー本体部、２５・・搬送ローラーのローラー軸、２６・・従動ローラーのローラー本体部、２７・・従動ローラーのローラー軸、３１（１）・・左側押圧機構、３１（２）・・右側押圧機構、３２・・支持腕、３３・・支持軸、３４・・コイルバネ、３５・・係止部、３７・・従動ローラー移動機構、４１・・カム、４２・・カム面、４２ａ・・内側カム面部分、４２ｂ・４２ｃ・・突出カム面部分、Ａ・・印刷位置、Ｄ・・搬送方向、Ｌ・・回転中心軸線、Ｌ１・・仮想線、Ｘ・・プリンター前後方向、Ｙ・・プリンター幅方向
【図１】
2016120652.tif 000003
【図２】
2016120652.tif 000004
【図３】
2016120652.tif 000005
【図４】
2016120652.tif 000006
【図５】
2016120652.tif 000007